(57)【要約】【課題】  平常時には、災害の際に必要なものを収納しておくことができ、かつ、災害時には簡易トイレとして使用することができる防災セットを提案すること。【解決手段】  防災セット１は、上面部の一部分に長円形状あるいは楕円形状の開口２５が形成された収納容器２と、開口２５に着脱可能に取り付けられた小蓋３とを有し、便器として使用される際、上面部２０を覆うとともに開口２５で口を空けるように汚物袋４が取り付けられる。開口２５は上面部２０の一部分にのみ形成されているので、利用者は収納容器２に腰掛けることができ、洋式の簡易便器として使用することができる。【選択図】    図２
2005192710.tif 000002
【特許請求の範囲】
【請求項１】
上面部の一部分に開口が形成された収納容器と、前記開口に着脱可能に取り付けられた小蓋とを有し、便器として使用される際、前記開口で口を空けるように汚物袋が取り付けられることを特徴とする簡易便器。
【請求項２】
請求項１において、前記収納容器は、前記上面部が一体に形成された有底筒形容器として構成されていることを特徴とする簡易便器。
【請求項３】
請求項１において、前記収納容器は、上面が開口する有底筒形の容器本体と、該容器本体の上面開口に被せられて当該収納容器の前記上面部を構成する蓋材とを備え、
前記開口は、前記蓋材に対して形成されていることを特徴とする簡易便器。
【請求項４】
請求項１ないし３のいずれかにおいて、前記開口は、前記上面部に対して、概ね、長円形状、楕円形状、あるいは所定方向に長く延びた矩形形状に形成されていることを特徴とする簡易便器。
【請求項５】
請求項１ないし４のいずれかにおいて、前記開口は、両端部分が非対称な形状をもって、あるいは前記上面部の中心から偏った位置に形成されていることにより、方向性を有していることを特徴とする簡易便器。
【請求項６】
請求項１ないし５のいずれかにおいて、便器として使用される前、前記収納容器には、少なくとも、前記汚物袋としての生分解性袋、および凝固剤が収納されていることを特徴とする簡易便器。
【請求項７】
請求項１ないし６のいずれかにおいて、前記収納容器、および前記小蓋は、金属製であることを特徴とする簡易便器。
【請求項８】
請求項１ないし７のいずれかに規定する簡易便器の前記収納容器内に、少なくとも、非常食および飲料水が収納されて保管されていることを特徴とする防災セット。
【発明の詳細な説明】
【技術分野】
【０００１】
本発明は、緊急時の使用に適した簡易便器、およびそれを用いた防災セットに関するものである。
【背景技術】
【０００２】
地震などの災害が発生すると、道路だけでなく、上水道や下水道も寸断されてしまうことがあり、このような事態になると、たとえ避難所であってもトイレを使用できないことがある。また、釣りなどに出かけた際、付近にトイレがなくて困ったということはよくあることである。さらに、高速道路で渋滞に巻き込まれ、トイレに行けずに困ったという事態に遭遇することもある。
【発明の開示】
【発明が解決しようとする課題】
【０００３】
そこで、本発明の課題は、緊急時の使用に適した簡易便器、およびそれを用いた防災セットを提案することにある。
【課題を解決するための手段】
【０００４】
上記課題を解決するために、本発明に係る簡易便器は、上面部の一部分に開口が形成された収納容器と、前記開口に着脱可能に取り付けられた小蓋とを有し、便器として使用される際、前記開口で口を空けるように汚物袋が取り付けられることを特徴とする。
【０００５】
本発明に係る簡易便器は、収納容器の上面部の一部分に開口が形成されているため、小蓋を取り外して開口に汚物袋を取付ければ、簡易便器として使用できる。また、開口は上面部の一部分にのみ形成されているので、利用者は収納容器に腰掛けることができ、洋式の簡易便器として使用することができる。さらに、排泄物を収納した汚物袋については、収納容器内に収納しておけるので、後始末が容易である。しかも、あくまで汚物袋を利用するため、収納容器自体は汚れることがないので、繰り返し使用することができる。
【０００６】
本発明において、前記収納容器は、例えば、前記上面部が一体に形成された有底筒形容器として構成されている。また、前記収納容器は、上面が開口する有底筒形の容器本体と、該容器本体の上面開口に被せられて当該収納容器の上面部を構成する蓋材とを備え、前記開口は、前記蓋材に対して形成されている構成であってもよい。後者の場合、排泄物を収納した汚物袋を収納容器内に溜めておき、それを処理する際に蓋材を外して多数の汚物袋をまとめて取り出すことができるので、便利である。
【０００７】
本発明において、前記開口は、前記上面部に対して、概ね、長円形状、楕円形状、あるいは所定方向に長く延びた矩形形状に形成されていることが好ましい。このように構成すると、小便器として使用する際、周囲が汚れないので、使い勝手がよい。
【０００８】
本発明において、前記開口は、両端部分が非対称な形状をもって、あるいは前記上面部の中心から偏った位置に形成されていることにより方向性を有していることが好ましい。このように構成すると、開口の形状や上面部における開口の形成位置によって、洋式の簡易便器として使用する際の腰掛ける場所を明示、特定できるので、使い勝手がよい。
【０００９】
本発明において、前記収納容器には、少なくとも、前記汚物袋としての生分解性のプラスチック製の袋（いわゆる、生分解性ポリ袋）、および凝固剤が収納されていることが好ましい。生分解性ポリ袋であれば、土中に埋めておくだけで分解し、土に戻るので、汚物袋を地中に埋めても環境破壊を起こさずに済む。
【００１０】
本発明において、前記収納容器、および前記小蓋は、金属製であることが好ましい。このように構成すると、耐破損性、耐火性、耐水性、耐荷重性が高いという利点がある。
【００１１】
本発明において、前記収納容器に、少なくとも、非常食および飲料水も収納しておけば、本発明に係る簡易便器を防災セットとして利用できる。
【発明の効果】
【００１２】
本発明に係る簡易便器、および防災セットでは、小蓋を取り外して開口に汚物袋を取付ければ、簡易便器として使用できる。また、開口は上面部の一部分にのみ形成されているので、利用者は収納容器に腰掛けることができ、洋式の簡易便器として使用することができる。さらに、排泄物を収納した汚物袋については、収納容器内に収納しておけるので、後始末が容易である。しかも、あくまで汚物袋を利用するため、収納容器自体は汚れることがないので、繰り返し使用することができる。
【発明を実施するための最良の形態】
【００１３】
図面を参照して、本発明に係る簡易便器を用いた防災セットを説明する。
【００１４】
［実施の形態１］
図１（Ａ）、（Ｂ）は、本発明の実施の形態１に係る防災セットの斜視図、およびこの防災セットに用いた簡易便器から上蓋を外した状態の斜視図である。図２（Ａ）、（Ｂ）は、図１に示す防災セットの容器を簡易便器として使用する方法を示す説明図、および汚物を始末する方法を示す説明図である。
【００１５】
図１（Ａ）、（Ｂ）において、本形態の防災セット１は、矩形の上面部２０の一部分に、長円形状あるいは楕円形状をもって対角線上に延びる開口２５が形成されたスチール製などといった金属製の有底角筒状の収納容器２と、開口２５に着脱可能に取り付けられた長円形状あるいは楕円形状のスチール製などといった金属製の小蓋３とを有している。収納容器２は、内容積が１８リットル〜４０リットルであり、収納容器２内には、乾パン２袋、２リットルの飲料水が入ったペットボトルが２本、手拭い２枚、２００組４００枚のティッシュペーパーが入ったボックス１箱、軍手２組、ろうそく1本、ライター１個などの物品が収納されている。また、収納容器２から小蓋３を外せば、開口２５から、前記の物品を出し入れすることができる。従って、前記の物品については、定期的に入れ換えて災害に備えることができる。なお、収納しておく物品については、上記のものの他に、必要に応じて各種物品を収納しておいてもよい。
【００１６】
小蓋３は、開口２５の形状に一致する平板部分３１と、平板部分３１の外周縁から立ち上がる外周壁部分３２と、外周壁部分３２の上端縁で外側に広がるフランジ部分３３とを有しており、小蓋３は、それを開口２５に押し込むだけで、高い気密性をもって開口２５を塞ぐことが可能である。また、収納容器２の両側面には提げ手２７が旋回可能な状態に取り付けられており、提げ手にはグリップ２８が形成されている。なお、小蓋３に取っ手を取り付けておいてもよい。
【００１７】
本形態において、防災セット１は、収納容器２と小蓋３を簡易便器として使用できるように、収納容器２内には、例えば５枚の汚物袋４（図２を参照して後述する）と、例えば５パックの袋入りの凝固剤も収納されている。従って、簡易便器として使用する際には、小蓋３を取り外し、収納していた物品を全て開口２５から取り出した後、図２（Ａ）に示すように、上面部２０を覆うように汚物袋４を被せる。また、汚物袋４については、開口２５で口を空けるように取り付ける。
【００１８】
そして、利用者は立ったまま、あるいは上面部２０の一方側２１に腰を落として、汚物袋４内に用を足す。次に、凝固剤を汚物袋４内に添加する。
【００１９】
しかる後には、一人が使う度、あるいは複数の人が使う度に、図２（Ｂ）に示すように、汚物袋４の口を縛って、収納容器２内に一時的に溜めておき、所定の箇所にまとめて埋めるか、焼却する。ここで、汚物袋４は、生分解性ポリ袋からなるため、土中に埋めただけでも、１週間前後で土中のバクテリアにより分解が始まり、１〜３ヶ月で分解が終了する。従って、環境破壊を引き起こさない。また、焼却処理を行った場合でも、ダイオキシンなどの有害物質を発生させることがないので、環境破壊を起こさない。
【００２０】
（本形態の効果）
以上説明したように、本形態の防災セット１によれば、収納容器２に飲料水、乾パンなどの非常食、手拭い、ちり紙、軍手、ろうそく、ライターなど、災害時に必要な物品を保管して災害に備えることができる。また、収納容器２および小蓋３は金属製なので、耐久性、耐水性、耐火性に優れる。例えば、収納容器２の底に紙製の貴重品、２リットルの飲料水が入ったペットボトル２本を入れた後、開口２５を小蓋３で塞いだ状態で防災セット１を木材で覆い、木材を燃焼させたところ、防災セット１は、１時間程度の耐火性を備え、紙製の貴重品が無事であることが確認された。また、十分な強度を有するので、踏み台代わりに用いることもできる。
【００２１】
また、防災セット１は、図２（Ａ）、（Ｂ）を参照して説明したように、災害時には、簡易便器として使用することができる。また、開口２５は上面部２０の一部分にのみ形成されているので、利用者は収納容器２に腰掛けることができ、洋式の簡易便器として使用することができる。さらに、排泄物を収納した汚物袋４については、そのまま、収納容器２に収納しておけるので、後始末が容易である。その際、小蓋３で開口２５を塞いで置けば、小蓋３は、開口２５を高い気密性をもって塞ぐため、汚物が入った汚物袋４を容器内に溜めておいても、臭気が漏れることがない。
【００２２】
しかも、本形態では、あくまで汚物袋４を利用するので、収納容器２自体は汚れることがない。それ故、収納容器２を繰り返し使用するのに抵抗感がない。
【００２３】
［実施の形態２］
図３は、本発明の実施の形態２に係る防災セットの分解斜視図である。実施の形態１において、収納容器２としては、有底角筒状容器に対して上面部２０が一体に構成されている缶を用いたが、図３に示すように、上面が開口する有底角筒状の容器本体２２と、この容器本体の上面開口に着脱可能に取り付けられて収納容器２の上面部２０を構成する矩形の蓋材２３とを備えたものを用いてもよい。この場合、蓋材２３に対して開口２５が形成され、この開口２５に対して、小蓋３が着脱可能に取付けられる。
【００２４】
なお、蓋材２３については、容器本体２２に対して圧入固定される構成の他、容器本体２２に対してリング状締め具などにより締め付け固定される構成であってもよい。
【００２５】
［その他の実施の形態］
上記の実施の形態１、２では、収納容器２として有底角筒形状のものを用いたが、有底円筒形状のものを用いてもよい。
【００２６】
また、上記の実施の形態１、２では、収納容器２の上面部２０に長円形状あるいは楕円形状の開口２５が形成されていたが、図４（Ａ）、（Ｂ）に示すように、長方形の開口２５であってもよい。
【００２７】
また、図４（Ｃ）、（Ｄ）に示すように、収納容器２の上面部２０に、側辺２５１が長く延びた五角形などといった多角形の開口２５が形成されている構成であってもよい。さらに、図４（Ｅ）、（Ｆ）に示すように、収納容器２の上面部２０に、円形部分２５２から幅の狭い長円部分２５３が突き出した異形の開口２５が形成されている構成であってもよい。さらに、図４（Ｇ）、（Ｈ）に示すように、収納容器２の上面部２０に、上面部２０の中心からずれた位置に円形の開口２５が形成されている構成であってもよい。
【００２８】
これらのいずれの形態であっても、開口２５は上面部２０の一部分にのみ形成されているので、利用者は収納容器２の上面部２０の一方側２１に腰掛けることができ、洋式の簡易便器として使用することができる。
【００２９】
また、上記形態のうち、図４（Ｃ）〜（Ｆ）のように、開口２５の両端部分が非対称な形状をもって形成されていることにより、方向性を有している場合には、洋式の簡易便器として使用する際、開口２５の形状によって腰掛ける場所を明示、特定できるので、使い勝手がよい。また、図４（Ｃ）〜（Ｆ）のように、開口２５の間口が広い部分が形成されていると、そこから物品を容易に出し入れできるという利点もある。
【００３０】
また、図４（Ｇ）〜（Ｈ）のように、開口２５が上面部２０の中心から偏った位置に形成されていることにより、方向性を有している場合にも、洋式の簡易便器として使用する際、開口２５の形状や上面部２０における位置によって腰掛ける場所を明示、特定できるので、使い勝手がよい。
【産業上の利用可能性】
【００３１】
本発明の簡易便器および防災セットでは、開口が容器の上面部の一部分にのみ形成されているので、利用者は収納容器に腰掛けることができ、洋式の簡易便器として使用することができる。さらに、排泄物を収納した汚物袋については、収納容器に収納しておけるので、後始末が容易である。しかも、あくまで汚物袋を利用するので、収納容器自体は汚れることがなく、繰り返し使用することができる。従って、地震、洪水、水害、火災などの災害が発生してライフラインが寸断、緊急停止した場合など、広範囲な用途に活用できる。また、本発明を適用した簡易便器は、防災用に限らず、釣りやキャンプ、僻地などに出かけた際、高速道路で渋滞に巻き込まれた際、土木工事、造成工事、山林伐採作業、調査視察の際など、各種の用途に活用することができる。また、自動車や小型船舶、漁船、ヨットに常時、搭載しておけば、不測の事態が発生した際にも対応することができる。さらに、災害救助、難民救助などにも対応することができる。
【図面の簡単な説明】
【００３２】
【図１】（Ａ）、（Ｂ）は、本発明の実施の形態１に係る防災セットの斜視図、およびこの防災セットに用いた簡易便器から上蓋を外した状態の斜視図である。
【図２】（Ａ）、（Ｂ）は、図１に示す防災セットの容器を簡易便器として使用する方法を示す説明図、および汚物を始末する方法を示す説明図である
【図３】本発明の実施の形態２に係る防災セットの分解斜視図である。
【図４】（Ａ）〜（Ｇ）は、本発明を適用した防災セットの開口の形状の変形例を示す説明図である。
【符号の説明】
【００３３】
１  防災セット
２  収納容器
３  小蓋
４  汚物袋
２０  上面部
２２  容器本体
２３  蓋材
２５  開口
【図１】
2005192710.tif 000003
【図２】
2005192710.tif 000004
【図３】
2005192710.tif 000005
【図４】
2005192710.tif 000006